(57)【要約】【課題】軽量で耐久性の高いバーベキューコンロ１であって、底板２ａ、側板２ｂ及び前後板３が過度に高温になる問題をなくし、掃除がし易く、前後板３に模様孔３ａや文字孔３ｂなどの切欠孔を設けることを容易にして、オリジナルデザインを施したバーベキューコンロ１の提供を可能とすることにある。【解決手段】熱伝導率と熱放射率の低いステンレス鋼からなるバーベキューコンロ１とし、底板２ａ、側板２ｂ、前後板３に対し空間５ａ、９ａ、６ａをあけて、孔５ｆ、孔９ｂ、孔６ｂを有する燃焼床５ｇ、左右傾斜板９、前後傾斜板６を設け、側板２ｂの下部にはその下辺を底板２ａの上面に一致させた開口２ｇを設け、予め顧客の希望に合わせて模様孔３ａや文字孔３ｂなどの切欠孔を明けた前後板３を、コンロ本体２に対し着脱容易に取り付けたバーベキューコンロ１とする。【選択図】　　　　　　　図１
2004000363.tif 000002
【特許請求の範囲】
【請求項１】
底板と左右２枚の側板と前後２枚の前後板とで、上面を開口させた長方形の箱形形状のコンロ本体を構成し、前記底板に対し空間を設けて設置した燃焼床と、前記側板に対し空間を設けて設置した左右傾斜板と、前記前後板に対し空間を設けて設置した前後傾斜板とを有し、前記コンロ本体の上部の開口に調理板を取り付けてなるバーベキューコンロとし、
前記燃焼床、前記左右傾斜板及び前記前後傾斜板の傾斜面にはそれぞれ複数の孔を設け、前記底板より上であって前記燃焼床より下に位置する開口を左右の前記側板の両方に設け、前記開口の内のいずれか一方の下辺を前記底板の上面と一致させるようにし、
前記前後板を前記コンロ本体に対し脱着容易に取り付け、前記前後板に模様孔や文字孔などの切欠孔を設けたことを特徴とするバーベキューコンロ。
【請求項２】
請求項１に記載したバーベキューコンロにおいて、薄板を概略溝形に折り曲げた燃焼台を設け、前記燃焼台の上面を燃焼床を構成する燃焼面とし、前記燃焼台の立上を支柱として、前記燃焼床と底板とのあいだに空間を設けたことを特徴とするバーベキューコンロ。
【請求項３】
請求項２に記載したバーベキューコンロにおいて、燃焼床をそれぞれ燃焼面を有する複数の燃焼台からなるものとし、前記複数の燃焼台の集合体において前後両端に位置する立上に折返を設け、
前後傾斜板を折り曲げたものとしてその上部を傾斜面とし下部を垂直面とし、前記垂直面の下端を前記燃焼台の集合体における前後両端に設けた前記折返と前記立上との間に差し込むことにより、前記前後傾斜板を前記燃焼床に着脱容易に取り付けたことを特徴とするバーベキューコンロ。
【請求項４】
請求項１乃至請求項３に記載したいずれかの発明において、調理板を除くコンロ本体、燃焼床、前後傾斜板及び左右傾斜板の全てをステンレス製としたバーベキューコンロ。
【発明の詳細な説明】
【０００１】
【発明の属する技術分野】
本発明は、炭などの燃料を使用して食品を調理するいわゆるバーベキューコンロにかかり、特に軽量で耐久性高く、燃料の灰などゴミの排出を容易としたものであって、顧客の希望に応じてオリジナルデザインを施すことを可能としたバーベキューコンロに関する。
本明細書では長方形形状のバーベキューコンロの長い方の面を前後面とし前後面に垂直な方向を前後方向とする。
【０００２】
【従来の技術】
従来は、鉄製のバーベキューコンロが主体でステンレス製のバーベキューコンロはなかった。仮にその一部にステンレス製の部品を使用したものが有ったとしても、コンロ本体、燃焼床、前後傾斜板及び左右傾斜板の全てをステンレス製としたバーベキューコンロはなかった。
従来は、バーベキューコンロは頻繁に使用するものではなく、数少ない使用回数で使用不可能になったとしても、その時点には購入後長期間を経過するため、耐久性のあるものを提供する動機に欠け、高価なステンレス鋼を使用することを避けたからである。
また、コンロ本体に対し前後板を脱着容易に取り付ける発明もなかった、さらに前記前後板に模様孔や文字孔などの切欠孔を設けた発明もなかった。切欠孔を設けることにより前後板の剛性が低下することを恐れたからである。
鉄製のバーベキューコンロには錆の発生を防止し見栄えをよくするために塗装が施してあるが、廃却した後にリサイクルして鉄材として再利用しようとするときに塗装を剥離しなければならない問題を有していた。
また、鉄製のバーベキューコンロは熱伝導率や熱放射率が高く、燃料の熱が熱伝導によりまた燃料から放射された熱放射により、燃焼床をはじめ底板、側板、前後板などに伝わり、前記各部が過度に高温になる問題があった。
バーベキューコンロの各部が過度に高温になると、底板や前後板に発生する歪みが大きくなり永久変形するに至る。このため従来の鉄製のバーベキューコンロは数少ない回数の使用により変形して使用困難になっていた。
一方、左右の側板は面積が小さく強度的に剛性に優れているため、永久変形する問題は小さいが、側板と燃焼床とのあいだに熱を遮断する傾斜板を取り付けていなかったので、側板が変色する程過度に高温になる問題を有していた。
燃料の熱や燃料から放射された放射熱が、コンロ基体外周の底部端部に伝わらないようにするため遮蔽板を取り付ける考案（実開平７−９２２８号）が提案されているが、コンロ基体外周の底部端部だけの温度の上昇を防ぐ効果に止まり不十分な考案である。
また、燃料の補給を容易にするために燃料補給口を取り付けた発明（特開２００１−１８６９９１号）には、薄板の剛性を高めるためにビード溝を施した発明が記載されているが、かかるビード溝を施す費用が余分にかかり、模様孔や文字孔などの切欠孔を設けることが制約される問題があった。
さらに、上記考案・発明には燃料の灰などゴミの排出を上部の開口から行わなければならず掃除がしにくい問題があった。
【０００３】
【発明が解決しようとする課題】
本発明は、上記した従来技術の欠点を除くためなされたものであって、その目的とするところは、限られた資源を大切に使い地球環境の保全を図る観点から、錆びることがなく美感の点からも塗装をする必要のないステンレス製のバーベキューコンロとすることにより、廃却した後にリサイクルするときに再利用容易なものを提供することにある。
さらに、最近は積極的にアウトドア活動を楽しむ人が増え、自宅の庭や郊外に遠出して頻繁にバーベキューを行う人達から、軽量で耐久性の高いバーベキューコンロを望む声が高まっている。
また、購入者が自らのネーム入りのものや、贈答品としてプレゼントする相手のネーム入りのものを望んだり、囲碁やスポーツなどの大会における賞品とするため大会の名称を入れたものを望むなど、オリジナルデザインのバーベキューコンロが求められるようになっている。
そこで本発明の他の目的は、熱伝導率と熱放射率の低いステンレス鋼からなるバーベキューコンロとすることにより、燃料の熱や燃料から放射された放射熱が、燃焼床をはじめ底板、左右の側板、前後板などに伝わりにくくして、前記各部が過度に高温になることを防ぎ、永久変形が発生する問題をなくすことにある。
また他の目的は、側板と燃焼床とのあいだに熱を遮断する傾斜板を取り付けていなかった発明の有する、左右の側板が変色するほど過度に高温になる問題をなくしたバーベキューコンロを提供することにある。
また他の目的は、コンロ基体の底部端部に遮蔽板を取り付ける発明の有する、温度上昇を防ぐ効果がコンロ基体外周の底部端部に止まる問題や、薄板の剛性を高めるためにビード溝を施した発明の有する、ビード溝を施す費用がかかり模様孔や文字孔などの切欠孔を設けることが制約される問題などをなくすことにある。
また他の目的は、燃料の灰などゴミの排出を上部の開口から行わなければならない発明の持つ、掃除がしにくい問題をなくすことにある。
さらに他の目的は、バーベキューコンロ本体に対し前後板を脱着容易に取り付け、前後板に模様孔や文字孔などの切欠孔を明けることにより、オリジナルデザインを施したバーベキューコンロの提供を、客先の注文をうけてから短納期の内に可能とすることにある。
【０００４】
【課題を解決するための手段】
請求項１の発明は、底板と左右２枚の側板と前後２枚の前後板とで上面を開口させた長方形の箱形形状のコンロ本体を構成し、前記底板に対し空間を設けて設置した燃焼床と、前記側板に対し空間を設けて設置した左右傾斜板と、前記前後板に対し空間を設けて設置した前後傾斜板とを有し、前記コンロ本体の上部の開口に調理板を取り付けたバーベキューコンロとする。
また、前記燃焼床、前記左右傾斜板及び前記前後傾斜板の傾斜面には、複数の孔をそれぞれの板全面に分布させるようにして設ける。
また、前記側板には前記底板より上であって前記燃焼床より下に位置する開口を前記側板の両方に設け、前記開口の内のいずれか一方の下辺を前記底板の上面と一致させる。
さらに、前記前後板を前記コンロ本体に対し脱着容易に取り付け、予め前記前後板に模様孔や文字孔などの切欠孔を明けておいたものを取り付けたバーベキューコンロとする。
請求項２の発明は、請求項１に記載したバーベキューコンロにおいて、薄板を概略溝形に折り曲げた燃焼台を設け、前記燃焼台の上面を燃焼床を構成する燃焼面とし、前記燃焼台の立上を支柱として、前記燃焼床と底板とのあいだに空間を設けたバーベキューコンロとする。
請求項３の発明は、請求項２に記載したバーベキューコンロにおいて、燃焼床をそれぞれ燃焼面を有する複数の燃焼台からなるものとし、前記複数の燃焼台の集合体において前後両端に位置する立上に折返を設ける。
また、前後傾斜板を折り曲げたものとしその上部を傾斜面とし下部を垂直面とし、前記垂直面の下端を前記燃焼台の集合体における前後両端に設けた前記折返と前記立上との間に差し込むことにより、前記前後傾斜板を前記燃焼床に着脱容易に取り付けたバーベキューコンロとする。
請求項４の発明は、ステンレス鋼からなるバーベキューコンロとする。但し調理板についてはステンレス製にこだわらない。材料をリサイクルする観点からは調理板についてもステンレス製とすることが好ましいが、金属製や陶磁器製などの調理板であって熱伝導率と熱放射率の高い材質のものを使用するメリットもあり、調理板は容易に取り外し可能であるため、どんな材料を使用してもリサイクルの妨げにならないからである。
【０００５】
【発明の実施の形態】
以下本発明の１実施例を図面に示し説明する。本発明にかかるバーベキューコンロ１はステンレス鋼からなるものとした。
コンロ本体２は、４本の角パイプからなる支柱２ｄと、支柱２ｄの上端において平面視において長方形の枠になるように角パイプを組み合わせた上枠２ｅと、支柱２ｄの中間部において支柱２ｄのあいだに角パイプを組み合わせた下枠２ｆとからなる骨組みを有するものとした。
そして、前後両端を折り曲げてリップ部２ｊを設けた底板２ａを下枠２ｆに、左右側面の外側に側板２ｂをそれぞれ取り付けた。このとき側板２ｂの下端と底板２ａとの間に隙間を設けこれを開口２ｇとした。また、側板２ｂの上部には取手２ｃを取り付けた。
また、上枠２ｅの下側と下枠２ｆの上側に、予めネジ穴を明けた複数の取付座２ｈを設け、予めレーザー切断により模様孔３ａや文字孔３ｂなどを明けておいた前後板３をビス４によりネジ止めした。
前後板３には、幾何的図形の模様、花の形の模様、動物の形の模様あるいはこれらの組合せからなる模様孔３ａ、人の名前、賞の名称、記念の言葉などの文字孔３ｂなどを、なるべく前後板３全面に分布させて配置するようにする。
以上により、底板２ａと左右２枚の側板２ｂと２枚の前後板３とからなる、上面を開口させた長方形の箱形形状のコンロ本体２を構成した。
また、薄板を概略溝形に折り曲げた２個の燃焼台５を設け、燃焼台５の上面を燃焼面５ｈとし２個の燃焼面５ｈを組み合わせて燃焼床５ｇとした。また、前記燃焼台５の立上５ｂ、５ｄを支柱として、燃焼床５ｇと底板２ａとのあいだに空間５ａを設け、燃焼床５ｇは側板２ｂの開口２ｇより上に位置するようにした。また折り曲げ加工により、燃焼台５の集合体において内側に位置する立上５ｂにリップ部５ｃを設け、前後両端に位置する立上５ｄに折返５ｅを設け、燃焼面５ｈにおいて左右の側板２ｂから適宜離れた位置にスリット孔を明けた。
そして、前後傾斜板６を折り曲げたものとしその上部を傾斜面６ｄとし下部を垂直面６ｅとし、垂直面６ｅの下端を燃焼台５の折返５ｅと立上５ｄとの間に差し込むことにより、前後傾斜板６を燃焼床５に着脱容易に取り付けた。
また、左右傾斜板９の下端に突出部９ｃを設け燃焼面５ｈの前記スリット孔に突出部９ｃを差し込むことにより、左右傾斜板９を燃焼床５に着脱容易に取り付けた。
ここで前後傾斜板６と左右傾斜板９を、前後板３や側板２ｂから適宜離して取り付けそれぞれ空間６ａ、空間９ａを設けた。また、燃焼面５ｈと前後傾斜板６の傾斜面６ｄと左右傾斜板９には複数の孔５ｆ、６ｂ、９ｂをそれぞれの板全面に分布させるようにして設けた。
さらに、上枠２ｅの上にステンレス製の金網からなる調理板７を積載する。顧客の希望に応じて鉄製、銅製、陶磁器製などの板からなる調理板７を積載することも可能である。板の調理板７については熱伝導率と熱放射率の高い材質のものを使用するメリットがあるからである。
【０００６】
本実施例は上記のように構成されており、以下その使用方法と作用について説明する。
本実施例にかかるバーベキューコンロ１を使用するときは、炭などの燃料を燃焼床５ｇの上に置いて火を付け、食材を調理板７に載せて焼く。
このとき、空気は開口２ｇから入り空間５ａを通り孔５ｆを通過して炭火に供給される。その後暖められ上昇気流になって上昇しバーベキューコンロ１から排出する。
また、開口２ｇから入った空気の一部は空間９ａを通り孔９ｂを通過して前記上昇気流と共に上昇する。さらに、前後板３の模様孔３ａや文字孔３ｂなどからも空気が入り空間６ａを通り孔６ｂを通過して前記上昇気流と共に上昇する。
このため、単に炭火等の燃焼に必要な空気を供給するだけでなく、空間５ａ、空間９ａ及び空間６ａ内の空気を換気してこの部分に熱がこもらないようにして、底板２ａ、側板２ｂ及び前後板３への熱の伝導を防止する作用がある。
さらに外気を導入して常に燃焼面５ｈ、左右傾斜板９及び前後傾斜板６に触れるようにしてこれらを空冷する作用がある。
また、熱の伝わり方の基本は熱伝導と熱放射の二つであることが知られており、ステンレス鋼の熱伝導率や熱放射率は鉄に比べ大幅に低いので、燃焼面５ｈ、左右傾斜板９、前後傾斜板６、底板２ａ、側板２ｂ及び前後板３へ伝わる熱量が小さい。
以上のように燃焼面５ｈ、左右傾斜板９、前後傾斜板６、底板２ａ、側板２ｂ及び前後板３へ伝わる熱量が小さいところに、空間５ａ、空間９ａ及び空間６ａの空気を換気して熱がこもることを防止し、さらに燃焼面５ｈ、左右傾斜板９及び前後傾斜板６を空冷するため、従来と比べ各部の温度上昇は小さくなった。
このため薄いステンレス鋼板を使用しても永久変形は発生せず耐久性の高いバーベキューコンロ１となった。さらに剛性を高めるためにビード溝を施す必要はなくなり、模様孔３ａや文字孔３ｂなどの切欠孔を設けても強度上の問題は生じなくなった。
また、燃焼台５の断面係数を高くすると共に燃焼面５ｈの面積を小さくしたので燃焼面５ｈの歪みの発生が小さくなった。
また、前後傾斜板６や左右傾斜板９を単純な形状であって容易に取り外し可能なものとしたので、歪みが発生したときには顧客自身がこれを取り外し、歪みを修正して再度使用可能なものに再生できるようになった。
また、前後板３を脱着容易に取り付けたので、客先のオリジナルデザインの注文を受けてから、単独の状態で前後面３に模様孔３ａや文字孔３ｂなどをレーザー切断して加工後にコンロ本体２に取り付けることが可能となった。
本実施例にかかる発明を卓上用のバーベキューコンロ１として使用するときや車のトランクなどに収納するときは継足８を取り外し、屋外用のバーベキューコンロ１として使用するときは支柱２ｄに継足８を差し込んで使用する。
本実施例にかかるバーベキューコンロ１では開口２ｇの下辺を底板２ａの上面と一致させたので、コンロ本体を傾斜させるだけで容易に燃料の灰などのゴミの排出が可能であり掃除が簡単である。
【０００７】
【発明の効果】
本発明により、簡単に取り外し可能な調理板を除き全ての部品をステンレス製のバーベキューコンロとしたので、廃却した後にリサイクルするときに容易に再利用可能なものを提供することができた。
また本発明により、熱伝導率や熱放射率の低いステンレス鋼を使用して、燃料の温度が熱伝導によりまた燃料の放射熱が放射伝導などにより、底板、側板、前後板などに伝わりにくい構成として、軽量で耐久性の高いバーベキューコンロを提供することができた。
また、コンロ基体の底部端部に遮蔽板を取り付ける従来考案の有する、温度上昇を防ぐ効果がコンロ基体外周の底部端部に止まる問題をなくして全面の温度上昇を防ぎ、薄板の剛性を高めるためにビード溝を施した従来発明の有する、ビード溝を設ける費用が増加し模様孔や文字孔などの切欠孔を設けることが制約される問題などをなくすことができた。
また、燃料の灰などゴミの排出を上部の開口から行わなければならない発明の持つ掃除がしにくい問題をなくし、コンロ本体を傾斜させるだけで容易にゴミの排出を可能とすることができた。
さらに、バーベキューコンロ本体に対し前後板を脱着容易に取り付けたので、顧客の希望に合わせて前後板に模様孔や文字孔などの切欠孔を設け、オリジナルデザインを施したバーベキューコンロの提供を、注文を受けてから短納期の内に可能とすることができた。
【図面の簡単な説明】
【図１】本発明にかかるバーベキューコンロの一部を切り欠いた正面図である。
【図２】本発明にかかるバーベキューコンロの一部を切り欠いた側面図である。
【図３】本発明にかかるバーベキューコンロの一部を切り欠いた平面図である。
【符号の説明】
１　：バーベキューコンロ　　２　：コンロ本体　　　　２ａ：底板
２ｂ：側板　　　　　　　　　２ｃ：取手　　　　　　　２ｄ：支柱
２ｅ：上枠　　　　　　　　　２ｆ：下枠　　　　　　　２ｇ：開口
２ｈ：取付座　　　　　　　　２ｊ：リップ部　　　　　３　：前後板
３ａ：模様孔　　　　　　　　３ｂ：文字孔　　　　　　４　：ビス
５　：燃焼台　　　　　　　　５ａ：空間　　　　　　　５ｂ：立上
５ｃ：リップ部　　　　　　　５ｄ：立上　　　　　　　５ｅ：折返
５ｆ：孔　　　　　　　　　　５ｇ：燃焼床　　　　　　５ｈ：燃焼面
６　：前後傾斜板　　　　　　６ａ：空間　　　　　　　６ｂ：孔
６ｄ：傾斜面　　　　　　　　６ｅ：垂直面　　　　　　７　：調理板
８　：継足　　　　　　　　　９　：左右傾斜板　　　　９ａ：空間
９ｂ：孔　　　　　　　　　　９ｃ：突出部
【図１】
2004000363.tif 000003
【図２】
2004000363.tif 000004
【図３】
2004000363.tif 000005